(57)【要約】      （修正有）【課題】プールなどの水面上に少し沈みかけた状態で浮遊し、リラックスしながら健康向上にも役立つ浮きマットを提供する。【解決手段】浮きマット１００は樹脂体の平板１に貫通孔２を多数個設けたものからなり、平板面積と貫通孔の面積とを適切に選定することによりリラックス板として機能する。平板の厚みが３０ｍｍからなり、平板の総面積が５００ｍｍ×１０００ｍｍ＝５０００００ｍｍ２（０．５ｍ２）の場合において、複数個の貫通孔の総面積が平板の総面積の１／１０であることが好ましい。【選択図】図３
0003191966.tif 000002
【実用新案登録請求の範囲】
【請求項１】
プール等の水の表面上において水に浮かぶ浮力感を感じるために用いられる浮きマットであって、該マットは厚みｔの薄厚で人体がほぼ腹ばい又は仰向けの状態で横たわることが出来る面積のものからなる平板の樹脂体からなり、前記平板に多数個の貫通孔が形成されるものからなることを特徴とする浮きマット。
【請求項２】
前記厚みｔが３０ｍｍからなり、平板の総面積が５００ｍｍ×１０００ｍｍ＝５０００００ｍｍ２（０．５ｍ２）の場合において、複数個の貫通孔の総面積が前記平板の総面積の１／１０であることを特徴とする請求項１に記載の浮きマット。
【考案の詳細な説明】
【技術分野】
【０００１】  本考案は、プール等の水面上に浮かべてその上面で人体が伏せ浮き、背浮きを体感するとき沈むこと無く浮遊出来る為、水に慣れる遊びや水に浮く感覚がつかめ、水泳の指導での導入に使用出来、かつリラックスや健康保持も出来る浮きマットに関する。
【背景技術】
【０００２】  プール等の水面上に樹脂製の板を浮かべその上面に伏せ浮き又は背浮きを沈んだ状態で浮遊出来ることによって水に浮く感覚をつかめる他、心地よいリラックス感を得ることが出来ることが知られている。このため、浮遊マットとしては各種のものがあるが薄厚の平板に貫通孔を多数形成するものとしての公知技術は本願の出願人の調査によっては見出せない。また、この平板の貫通孔の面積についてはこの浮きマットの機能を果す上で重要であるが、その数値について特定しているものは見当らない。
但し、浮きマットとしての機能を有する他の形状の公知技術としては、「特許文献１」が挙げられる。
【先行技術文献】
【特許文献】
【０００３】
【特許文献１】登録実用新案第３０２８８９５号（図１）
【考案の概要】
【考案が解決しようとする課題】
【０００４】  前記の「特許文献１」の「登録実用新案第３０２８８９５号」の「浴室マット」は浴室で洗体用又は浮遊して使用するものであり、独立気泡の発泡合成樹脂体の平板状のものからなる。
具体的の形状としてはマット本体の下面側に複数体の凸条形の脚部を備えたものからなり、浮き上り移動を生じにくく腰が強く形状安定性に優れるものであるが、後に説明する本考案の浮きマットとは形状や機能において大きく相違するものである。【０００５】  本考案の浮きマットはプール等の水面上で水に浮く感覚を得たり、リラックス感を得るために遊ぶためのものであり、水面上で浮かんで人体が伏せ浮きしたり背浮きしても水中に沈んでしまうことなく、ある程度は沈んで波の打ち寄せる感覚を得、浮力を体感出来るだけでなくリラックス機能を果たすことの出来るマットを提供することを目的とする。
【課題を解決するための手段】
【０００６】  本考案は、以上の目的を達成するために、請求項１の考案は、プール等の水の表面上において水に浮かぶ浮力感を感じるために用いられる浮きマットであって、該マットは厚みｔの薄厚で人体がほぼ腹ばい又は仰向けの状態で横たわることが出来る面積のものからなる平板の樹脂体からなり、前記平板に多数個の貫通孔が形成されるものからなることを特徴とする。【０００７】  また、請求項２の考案は、前記厚みｔが３０ｍｍで平板の総面積が５００ｍｍ×１０００ｍｍ＝５０００００ｍｍ２（０．５ｍ２）の場合において、複数個の貫通孔の総面積が前記平板の総面積の１／１０であることを特徴とする。
【考案の効果】
【０００８】  本考案の請求項１の浮きマットによれば、薄厚で平板の樹脂製のマットに多数の貫通孔を明けることによりこのマットとは水中に沈むことなく浮遊し、かつ貫通孔の形成により波の打ち寄せる感覚を得ることが出来、長時間楽しむことが出来、老若男女共に幅広い範囲で使用することが出来る。また、比較的安価に手に入れることが出来る。また、耐久性にも優れ、洗浄も容易に出来、多くの人々の共通使用が可能になる。【０００９】  また、請求項２の考案によれば、貫通孔の大きさが特定され、これにより前記の機能を確実に果すことが出来る。
【図面の簡単な説明】
【００１０】
【図１】本考案の浮きマットの全体形状を示す平面図。
【図２】図１のＡ−Ａ線断面図。
【図３】本考案の具体的形状を示す平面図（ａ）及び（ａ）のＢ−Ｂ線断面図。
【図４】本考案の浮きマットの使用状態の一例を示す模式図。
【考案を実施するための形態】
【００１１】  以下、本考案の浮きマットの実施の形態を図面を参照して詳述する。
図１は本考案の概要を示す平面図及び断面図である。
【実施例】
【００１２】  図３（ａ），（ｂ）は本考案の浮きマット１００の具体的な実施の形態を示す平面図及び断面図である。
図３（ａ），（ｂ）に示すように、この浮きマット１００は横１０００ｍｍで縦５００ｍｍで総面積が０．５ｍ２の平板１の樹脂体（例えば、発泡樹脂）からなり、厚みｔは３０ｍｍで直径３０ｍｍの貫通孔２からなる。この各寸法は水面上でこの浮きマット１００の上面に人体３（図４）が横たわった時に丁度人体３が沈むことなく、かつ貫通孔２から水が吹き出て全体が水面上に浮く状態になるものからなる。但し、この各寸法や貫通孔２の大きさや数量は限定的なものでなく１つの実施例として実証された寸法のものからなり、これに限定するものではない。平板１が０．５ｍ２の場合、貫通孔２を７２個×３０ｍｍの孔とすると貫通孔２の総面積は約０．０５ｍ２となり平板の面積の約１／１０である。
この１／１０の値が１つの目安となり、他の実施例の場合の参考寸法となる。
以上の形状，材質の浮きマット１００は比較的製作し易く、かつ運搬にも便利な寸法からなり、丸めて持ち運びすることも可能である。【００１３】  図４は本実施例の浮きマット１００に人体３が仰向けに横たわった状態を示すものであり、身長１００ｃｍ未満の児童・園児を対象にしたものであります。
人体３は少し水面から沈んだ状態となり貫通孔２からは水が噴き出している状態となる。人体３はこの状態で水面上に安定保持され、あたかも海上に浮んでいるかの錯覚を得ることが出来、浮力感を得たりリラックスの安堵感を得ることが出来る。【００１４】  なお、この浮きマット１００は前記の材質に限定するものではなく、かつ各種の色彩や模様を表示することも勿論である。勿論、自分の名前や特徴等を表示することも出来、環境に見合った模様や色彩のものにすることも出来る。
また、平板１の形状も四角に限定するものではなく、貫通孔２の大きさも一定のものでなくてもよい。【００１５】  本考案は、以上の説明の内容からなるがこれに限定するものではなく、同一技術的範疇のものが適用されることは勿論である。
【産業上の利用可能性】
【００１６】  本考案の浮きマットはプールに限らず各種の水面に対して適用や応用が可能であり、使用する人々の範囲も広く、その利用範囲は極めて広い。
【符号の説明】
【００１７】１      平板
２      貫通孔
３      人体
１００  浮きマット
【図１】
0003191966.tif 000003
【図２】
0003191966.tif 000004
【図３】
0003191966.tif 000005
【図４】
0003191966.tif 000006